(57)【要約】【課題】本発明の課題は、スライド装置及びこれを用いる携帯式電子装置を提供することである。【解決手段】本発明は、固定板と、スライド板と、スライド板に互いに離間して設置される第一磁性素子及び第二磁性素子と、両端がそれぞれ固定板及びスライド板に回転可能に連結される接続部材と、接続部材に設置される第三磁性素子と、を備えるスライド装置を提供する。スライド板が第一磁性素子と第三磁性素子との吸着力を克服しながらスライドする時、接続部材の回転に伴い、スライド板が固定板に対して斜めに立ち上がる一方、第二磁性素子と第三磁性素子との吸着力が大きくなり、第二磁性素子と第三磁性素子との吸着力が第一磁性素子と第三磁性素子との吸着力より大きければ、スライド板は、続いて固定板に相対して自動的にスライドするとともに斜めに立ち上がる。【選択図】図１
2011142629.tif 000002
【特許請求の範囲】
【請求項１】
固定板及び前記固定板にスライド可能に重畳設置されるスライド板を備えてなるスライド装置であって、
前記スライド装置は、第一磁性素子、第二磁性素子、第三磁性素子及び接続部材をさらに備え、前記第一磁性素子及び前記第二磁性素子は、前記スライド板に互いに離間して設置され、前記第三磁性素子は、前記接続部材に設置され、前記接続部材の両端は、それぞれ前記固定板及び前記スライド板に回転可能に連結され、
前記スライド板が前記第一磁性素子と前記第三磁性素子との吸着力を克服しながら前記固定板に相対してスライドする際、前記接続部材の回転に伴い、前記スライド板が前記固定板に対して斜めに立ち上がると同時に、前記第二磁性素子と前記第三磁性素子との吸着力が大きくなり、前記第二磁性素子と前記第三磁性素子との吸着力が前記第一磁性素子と前記第三磁性素子との吸着力より大きければ、前記スライド板は、前記第二磁性素子と前記第三磁性素子との吸着力の作用によって続いて前記固定板に相対して付勢されてスライドするとともに斜めに立ち上がることを特徴とするスライド装置。
【請求項２】
前記スライド装置は、他の第一磁性素子、他の第二磁性素子、他の第三磁性素子及び他の接続部材をさらに備え、
前記スライド板は、互いに対向する２つの側壁を含み、各々の側壁には、全て１つの前記第一磁性素子及び１つの前記第二磁性素子が互いに離間して設置され、前記２つの第三磁性素子は、前記２つの接続部材にそれぞれに設置され、
前記固定板は、前記スライド板の２つの側壁にそれぞれに対応する２つの側面を含み、前記接続部材の両端は、同側に位置する前記スライド板の１つの側壁及び前記固定板の１つの側面に回転可能に連結されることを特徴とする請求項１に記載のスライド装置。
【請求項３】
各々の接続部材は、第一回転軸を介して前記スライド板の側壁に回転可能に連結され、第二回転軸を介して前記固定板の側面に回転可能に連結され、
前記スライド板と前記固定板とが重畳状態になった時、前記第一磁性素子は、前記第一回転軸と前記第二回転軸との間に位置することを特徴とする請求項２に記載のスライド装置。
【請求項４】
前記第一磁性素子の極性と前記第二磁性素子の極性とが同じであり、且つ前記第一磁性素子及び前記第二磁性素子の極性と前記第三磁性素子の極性とが相反することを特徴とする請求項３に記載のスライド装置。
【請求項５】
前記スライド板と前記固定板が閉合された時、前記第一磁性素子と前記第三磁性素子とが部分的に重畳されて互いに吸着することを特徴とする請求項４に記載のスライド装置。
【請求項６】
前記スライド装置は、前記スライド板に設置される第四磁性素子及び前記固定板に設置される金属部材をさらに備え、
前記第四磁性素子と前記金属部材とが互いに吸着して前記スライド板を前記固定板に安定的に重畳させることを特徴とする請求項２に記載のスライド装置。
【請求項７】
操作側ケースと、
表示側ケースと、前記操作側ケースに固定される固定板及び前記固定板にスライド可能に重畳設置され且つ前記表示側ケースに固定されるスライド板を備える請求項１〜６の中のいずれの一項に記載のスライド装置と、
を備えることを特徴とする携帯式電子装置。
【発明の詳細な説明】
【技術分野】
【０００１】
本発明は、スライド装置及びこれを用いる携帯式電子装置に関するものである。
【背景技術】
【０００２】
現在市販されている携帯式電子装置は、一般に、相対的に回転するかまたは相対的にスライドできる表示側ケース及び操作側ケースを含む。例えば、スライド式電子装置においては、前記表示側ケースを前記操作側ケースに対してスライドさせて開放させることができる。
【０００３】
ところで、最近、通信技術の飛躍的な発展に伴い、携帯式電子装置の用途も多様化されており、携帯電子装置を用いたインターネット検索、動画再生、ＴＶ放送、各種ゲームなどのマルチメディア機能の遂行が可能になりつつある。しかしながら、従来のスライド式電子装置においては、表示側ケースと操作側ケースとが単に直線的にスライドするだけなので、スクリーンの角度をキーボードに対して調整できないという欠点がある。その結果、ユーザーは表示された画面を容易に観覧できず、とても不便である。
【発明の概要】
【発明が解決しようとする課題】
【０００４】
本発明は以上の問題点に鑑みてなされたものであって、その目的は、表示側ケースが操作側ケースに相対してスライドするとともに表示側ケースを傾斜した状態で開放できるスライド装置及びこれを用いる携帯式電子装置を提供することにある。
【課題を解決するための手段】
【０００５】
前記問題を解決するために、本発明に係るスライド装置は、固定板及び前記固定板にスライド可能に重畳設置されるスライド板を備える。前記スライド装置は、第一磁性素子、第二磁性素子、第三磁性素子及び接続部材をさらに備え、前記第一磁性素子及び前記第二磁性素子は、前記スライド板に互いに離間して設置され、前記第三磁性素子は、前記接続部材に設置され、前記接続部材の両端は、それぞれ前記固定板及び前記スライド板に回転可能に連結され、前記スライド板が前記第一磁性素子と前記第三磁性素子との吸着力を克服しながら前記固定板に相対してスライドする際、前記接続部材の回転に伴い、前記スライド板が前記固定板に対して斜めに立ち上がる一方、前記第二磁性素子と前記第三磁性素子との吸着力が大きくなり、前記第二磁性素子と前記第三磁性素子との吸着力が前記第一磁性素子と前記第三磁性素子との吸着力より大きければ、前記スライド板は、前記第二磁性素子と前記第三磁性素子との吸着力の作用によって続いて前記固定板に相対して自動的にスライドするとともに斜めに立ち上がる。
【０００６】
また、本発明に係る携帯式電子装置は、操作側ケースと、表示側ケースと、前記操作側ケースと前記表示側ケースとの間に設置される上述したスライド装置と、を備える。
【発明の効果】
【０００７】
本発明に係るスライド装置を用いる携帯式電子装置において、表示側ケースは前記スライド装置を通して操作側ケースに対して傾斜した状態で開放されるので、使用者は前記表示側ケースの表示スクリーンに表示される情報を観覧し易く、最もよい視覚効果を得られる。
【図面の簡単な説明】
【０００８】
【図１】本発明に係るスライド式電子装置の開放状態での斜視図である。
【図２】本発明に係るスライド式電子装置の閉合状態での斜視図である。
【図３】本発明に係るスライド式電子装置のスライド装置の異なる状態における側視図である。
【図４】本発明に係るスライド式電子装置のスライド装置の異なる状態における側視図である。
【図５】本発明に係るスライド式電子装置のスライド装置の異なる状態における側視図である。
【図６】本発明に係るスライド式電子装置のスライド装置の異なる状態における側視図である。
【発明を実施するための形態】
【０００９】
以下、図面を参照しながら、本発明の実施形態に係るスライド式電子装置について詳細に説明する。
【００１０】
本発明に係る携帯式電子装置は、携帯電話、個人用携帯情報端末（ＰＤＡ）などであることができる。本実施形態において、携帯電話を例として説明する。
【００１１】
図１を参照すると、本発明に係る携帯電話１００は、操作側ケース１０と、前記操作側ケース１０に重畳設置される表示側ケース２０と、前記操作側ケース１０と前記表示側ケース２０との間に設置されるスライド装置３０と、を備える。
【００１２】
前記スライド装置３０は、スライド板３１と、固定板３２と、２つの接続部材３３と、２つの第一磁性素子３４と、２つの第二磁性素子３５と、２つの第三磁性素子３６と、１つの第四磁性素子３７と、１つの金属部材３８と、を備える。
【００１３】
前記操作側ケース１０と前記表示側ケース２０とは、前記スライド装置３０を介して連結されて、前記表示側ケース２０は前記操作側ケース１０に相対してスライドするとともに傾斜した状態で開放できる。
【００１４】
前記固定板３２は、前記操作側ケース１０に固定される。前記操作側ケース１０は、前記表示側ケース２０に対面する操作面１２を含む。前記操作面１２には、前記携帯電話１００を制御する操作ボタン１２２が設置されている。
【００１５】
前記スライド板３１は、前記表示側ケース２０に固定される。前記表示側ケース２０は、前記操作側ケース１０に対面する第一表面２２と前記第一表面２２に対向する第二表面２４を含む。前記第二表面２４には、液晶表示スクリーンのような表示スクリーン２４２が設置されている。前記表示スクリーン２４２は、ヒューマン・インタフェース（Ｈｕｍａｎ  Ｉｎｔｅｒｆａｃｅ）として、使用者が観覧するようにする。前記スライド板３１と前記固定板３２は、前記接続部材３３を介して連結され、且つ前記接続部材３３によって互いに重畳された閉合状態（図２を参照）から互いに傾斜された開放状態（図６を参照）になることができる。
【００１６】
図２を一緒に参照すると、前記スライド板３１は、第一側壁３１２と、前記第一側壁３１２に対向する第二側壁３１４と、前記第一側壁３１２と前記第二側壁３１４とを連結する第三側壁３１６と、を含む。
【００１７】
前記固定板３２は、第一側面３２２と、前記第一側面３２２に対向する第二側面３２４と、前記第一側面３２２と前記第二側面３２４とを連結する第三側面３２６と、を含む。前記第一側面３２２、前記第二側面３２４及び前記第三側面３２６は、それぞれ前記第一側壁３１２、前記第二側壁３１４及び前記第三側壁３１６に対応する。
【００１８】
前記第一側壁３１２と前記第一側面３２２とは、１つの接続部材３３を介して連結され、前記第二側壁３１４と前記第二側面３２４とは、他の１つの接続部材３３を介して連結される。前記第一側壁３１２及び前記第二側壁３１４には、全て第一磁性素子３４及び第二磁性素子３５が互いに離間して設置されている。前記第三側壁３１６には、第四磁性素子３７が設置されており、前記第三側面３２６の前記第四磁性素子３７に対応される箇所には、金属部材３８が設置されている。前記スライド板３１と前記固定板３２が閉合された時（即ち、前記スライド板３１と前記固定板３２が重畳された時）、前記第四磁性素子３７は前記金属部材３８を吸着して、前記スライド板３１を前記固定板３２に安定的に重畳させる。
【００１９】
前記接続部材３３の一端は、第一回転軸４２を通して前記スライド板３１の前記第一磁性素子３４と前記第二磁性素子３５との間の中間位置に回転可能に連結され、前記接続部材３３の他端は、第二回転軸４４を通して前記固定板３２に連結される。前記接続部材３３には、第三磁性素子３６が設置されている。図２及び図３を参照すると、前記スライド板３１と前記固定板３２とが閉合された時、前記第一磁性素子３４は前記第一回転軸４２と前記第二回転軸４４との間に位置し、且つ前記第一磁性素子３４と前記第三磁性素子３６とは部分的に重畳されて互いに吸着する。
【００２０】
図３乃至図６を一緒に参照すると、前記スライド装置３０を作動させて前記携帯電話１００を開放する場合、前記表示側ケース２０の前記第四磁性素子３７が設置された一端を推進すると、前記スライド板３１は前記固定板３２に相対してスライドする。この時、前記スライド板３１は、前記第四磁性素子３７と前記金属部材３８との吸着力及び前記第一磁性素子３４と前記第三磁性素子３６との吸着力を克服しながら前記固定板３２に相対してスライドして、前記第四磁性素子３７は前記金属部材３８からだんだん離れ、前記第一磁性素子３４は前記第三磁性素子３６からだんだん離れる（図４を参照）とともに、前記スライド板３１は前記第一回転軸４２を中心として回転し、前記接続部材３３の両端には前記第一回転軸４２及び前記第二回転軸４４が配置され、前記接続部材３３は前記第二回転軸４４を中心として軸として回転して、前記スライド板３１は前記固定板３２に対して斜めに立ち上がる。続いて前記スライド板３１を推進すると、前記第三磁性素子３６は、前記第一磁性素子３４から徐々に遠くなるとともに、前記第二磁性素子３５に徐々に近くなる。前記第一磁性素子３４、前記第二磁性素子３５及び前記第三磁性素子３６の磁気力が等しく、前記第一磁性素子３４の極性と前記第二磁性素子３５の極性とが等しく、且つ前記第一磁性素子３４及び前記第二磁性素子３５の極性と前記第三磁性素子３６の極性とが相反するので、前記第一磁性素子３４と前記第三磁性素子３６との間の距離Ｌ１が前記第二磁性素子３５と前記第三磁性素子３６との間の距離Ｌ２より大きくなると、前記第一磁性素子３４と前記第三磁性素子３６との吸着力は、前記第二磁性素子３５と前記第三磁性素子３６との吸着力より小さい（図５を参照）。この時、前記第二磁性素子３５と前記第三磁性素子３６との吸着力の作用によって、前記スライド板３１は続いて前記固定板３１に対して自動的にスライドするとともに斜めに立ち上がり、両端にそれぞれ前記第一回転軸４２及び前記第二回転軸４４が配置された前記接続部材３３は、前記第二回転軸４４を中心として回転されて、最終に前記スライド板３１は前記固定板３２に対して傾斜状態で完全に開放される（図６を参照）。また、前記携帯電話１００が完全に開放された状態で前記スライド板３１を前記固定板３１に安定的に保持するために、前記スライド装置３０は、ロック手段をさらに備えることができる。
【００２１】
前記携帯電話１００において、閉合過程は、開放過程と相反するので、それに対する詳細な説明は省略する。
【００２２】
本発明において、前記携帯電話１００の表示側ケース２０は、前記スライド装置３０を通して前記操作側ケース１０に対して斜めに立ち上がるので、使用者は前記表示側ケース２０の表示スクリーン２４２に表示される情報を観覧し易く、最もよい視覚効果を得られる。
【００２３】
また、前記スライド板３１を前記固定板３２に安定的に重畳させるために、前記第四磁性素子３７及び前記金属部材３８を他のロック手段で代替することができる。
【００２４】
また、前記接続部材３３の数量は１つだけでもよい。即ち、前記接続部材３３は、前記スライド板３１と前記固定板３２との間に設置される１つの支持板であって、前記支持板の両端は、それぞれ前記スライド板３１及び前記固定板３２に回転可能に連結される。この時、前記第一磁性素子３４及び前記第二磁性素子３５の数量も全て１つだけであって、前記スライド板３１の前記固定板３２に対面する表面に互いに離間して設置され、且つ前記支持板に１つの第三磁性素子３６を設置する。
【００２５】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのがいうまでもない。
【符号の説明】
【００２６】
１０      操作側ケース
１２      操作面
２０      表示側ケース
２２      第一表面
２４      第二表面
３０      スライド装置
３１      スライド板
３２      固定板
３３      接続部材
３４      第一磁性素子
３５      第二磁性素子
３６      第三磁性素子
３７      第四磁性素子
３８      金属部材
４２      第一回転軸
４４      第二回転軸
１００    携帯電話
１２２    操作ボタン
２４２    表示スクリーン
３１２    第一側壁
３１４    第二側壁
３１６    第三側壁
３２２    第一側面
３２４    第二側面
３２６    第三側面
【図１】
2011142629.tif 000003
【図２】
2011142629.tif 000004
【図３】
2011142629.tif 000005
【図４】
2011142629.tif 000006
【図５】
2011142629.tif 000007
【図６】
2011142629.tif 000008